(57)【要約】【課題】強い横風を受けたときに、がいし又はアークホーンが送電線側と干渉を起こさないようにする。【解決手段】Ｖ吊状の一対のがいし連の下端を、下辺に送電線を連結したヨークの上辺両側にクレビス金具を介して接続してなるＶ吊懸垂装置において、前記ヨークに対する前記クレビス金具のがいし連側への回動の限度は、前記一対のがいし連の取付位置を結ぶ線よりも少し下側となるようにする。【選択図】　　　図１
2004040870.tif 000002
【特許請求の範囲】
【請求項１】
Ｖ吊状の一対のがいし連の下端を、下辺に送電線を連結したヨークの上辺両側にクレビス金具を介して接続してなるＶ吊懸垂装置において、
前記ヨークに対する前記クレビス金具のがいし連側への回動の限度は、前記一対のがいし連の取付位置を結ぶ線よりも少し下側となるようにしたことを特徴とするＶ吊懸垂装置。
【発明の詳細な説明】
【０００１】
【発明の属する技術分野】
本発明はＶ吊懸垂装置に係り、特に、横振れ時のがいし連又はアークホーンとライン側との接触を防止できるようにしたのに関する。
【０００２】
【従来の技術】
図３は、従来のＶ吊懸垂装置を送電線Ｌ１　〜Ｌ３　の伸張方向から見たときの正面図である。このＶ吊懸垂装置ａ′は、一対の所定長さのがいし連１ａ，１ｂをＶ字状に垂下して形成されている。すなわち、一対のがいし連１ａ，１ｂの上端部は、図示しない送電線鉄塔のアームＡに所定の間隔を保って取付金具類２ａ，２ｂを介してそれぞれ取付けられるとともに、それら一対のがいし連１ａ，１ｂの下端部は、一対の偏平な所定の厚さを有するヨーク３にクレビス金具４ａ′，４ｂ′を介してそれぞれ取付けられていて、Ｖ字状を形成している。
【０００３】
ヨーク３は、送電線Ｌ１　〜Ｌ３　の伸張方向から見たときに横長の四角形を呈し、その上辺の左右両側に一対のがいし連１ａ，１ｂの下端部が取付けられ、その下辺に３導体からなる送電線Ｌ１　〜Ｌ３　が懸垂クランプ５ａ〜５ｃを介してそれぞれ取付けられている。
【０００４】
なお、図３の例では、ヨーク３の形状は、横長の四角形であるが、送電線の導体数等により三角形等の他の形状を呈することもあるが、いずれの形状であっても、一対のがいし連１ａ，１ｂの連結される箇所は、水平状の上辺の左右両端側となる。
【０００５】
【発明が解決しようとする課題】
しかしながら、上記従来のＶ吊懸垂装置は、強い横風を受けたときに風下側のがいし連のがいし又はアークホーンが送電線（ライン）と接触する干渉のおそれがあった。
【０００６】
図３及び図４を用いてさらに説明すると、図３の矢印イに示されるように、送電線Ｌ１　〜Ｌ３　の伸張方向と直交する水平方向の強い風が送電線Ｌ１　〜Ｌ３　及びＶ吊懸垂装置ａ′が受けると、Ｖ吊懸垂装置ａ′は、図４に示されるように、風下側（図示の例では右側）のがいし連１ａは弛み、そのがいし連１ａのがいし又はアークホーンが送電線側と干渉して機器を損傷するおそれがあった。図４では、風下側のがいし連１ａのアークホーンＨと送電線Ｌ１　の懸垂クランプ５ａとが干渉している状態を表している。なお、上述の例では、横風が左から右へ吹くときであるが、横風が右から左へ吹くときは、がいし連１ｂと送電線Ｌ２　側との干渉が発生する。
【０００７】
そこで、本発明は、上記欠点を解決するためになされたものであって、その目的は、強い横風が吹いても干渉のおそれのないＶ吊懸垂装置を提供することにある。
【０００８】
【課題を解決するための手段】
本発明に係るＶ吊懸垂装置は、上記目的を達成するために、Ｖ吊状の一対のがいし連の下端を、下辺に送電線を連結したヨークの上辺両側にクレビス金具を介して接続してなるＶ吊懸垂装置において、前記ヨークに対する前記クレビス金具のがいし連側への回動の限度は、前記一対のがいし連の取付位置を結ぶ線よりも少し下側となるようにしたことを特徴としている。
【０００９】
【発明の実施の形態】
以下、本発明の実施の形態を図面に基づいて説明する。図１は、一実施の形態に係るＶ吊懸垂装置ａを送電線Ｌ１　〜Ｌ３　の伸張方向から見たときの下部分の正面図であって、強い横風を受けている状態を示し、ちょうど、上記図４に対応している。
【００１０】
なお、上記図３及び図４で示した従来と同一構成要素には、同一符号を用い、これら構成要素については説明が重複するため新規な部分のみについて新たな符号を付して説明する。
【００１１】
クレビス金具４ａ，４ｂは、ヨーク３に対して所定の角度以上回動しないように構成されている。クレビス金具４ａ及び４ｂは、同一構成であるので、以下、クレビス金具４ａを用いて説明する。図２（ａ）〜（ｃ）は、ヨーク３とクレビス金具４ａとの回動関係を示したもので、同図（ａ）は、クレビス金具４ａはがいし連１ａが横風によって回動していない状態の角度を示し、ここでは、右上方約４５°の角度に保たれている。同図（ｂ）は、がいし連１ａが強い横風を受けて弛み、クレビス金具４ａがほぼ一対のがいし連１ａ，１ｂの取付位置を結ぶ線まで回動した状態で、上記図１の状態を示している。同図（ｃ）は、同図（ｂ）の上面図である。なお、同図（ｃ）中、６は、ヨーク３及びクレビス金具４ａに設けられている孔に貫通されているピンである。
【００１２】
クレビス金具４ａは、上記図２（ａ）〜（ｃ）に示されるように、がいし連１ａが弛んだときにがいし連１ａ側への回動の限度が一対のがいし連１ａ，１ｂの取付位置を結ぶ線よりも少し下まで、具体的には、その結ぶ線よりも下側に約１０°程度までとなるように決められている。なお、このクレビス金具４ａの反対方向（他方のがいし連１ｂ方向）への回転角度は、略垂直方向となるので、このクレビス金具４ａの回動角度の範囲は、約１００°となる。このような回転角度の調整は、ヨーク３とクレビス４ａの相対関係により決められ、ヨーク３のクレビス４ａ側の突出量又はクレビス４ａの切り込み深さ、又はこれら両方の調整によって決められる。
【００１３】
上記構成のＶ吊懸垂装置ａは、強い横風を受けて一方のがいし連１ａが弛んでも、クレビス金具４ａがヨーク３にこじれて必要以下に回転しないから、がいし連１ａのがいし又はアークホーンＨが送電線Ｌ１　側と干渉するのを効果的に防止することかできる。
【００１４】
なお、上述の例では、がいし連１ａ側のクレビス金具４ａの例を示したが、他方のがいし連１ｂ側のクレビス金具４ａも同様に構成されていて、干渉が防止されている。
【００１５】
【発明の効果】
本発明に係るＶ吊懸垂装置は、ヨークに対するクレビス金具のがいし連側への回動の限度は、一対のがいし連の取付位置を結ぶ線よりも少し下側となるようにしたので、強い横風を受けて一方のがいし連が弛んでも、クレビス金具がヨークにこじれて必要以下に回転しないから、がいし又はアークホーンが送電線側と干渉するのを効果的に防止することかできる。
【図面の簡単な説明】
【図１】本発明の一実施の形態に係るＶ吊懸垂装置が強い横風を受けているときの下部分を送電線の伸張方向から見たときの正面図である。
【図２】ヨークとクレビス金具との接続部分の詳細図である。
【図３】従来のＶ吊懸垂装置を送電線の伸張方向から見たときの正面図である。
【図４】従来のＶ吊懸垂装置が強い横風を受けているときの下部分を送電線の伸張方向から見たときの正面図である。
【符号の説明】
ａ　Ｖ吊懸垂装置
１ａ，１ｂ　がいし連
２ａ，２ｂ　取付金具
３　ヨーク
４ａ，４ｂ　クレビス金具
５ａ〜５ｃ　懸垂クランプ
６　ピン
Ｈ　アークホーン
Ａ　アーム
Ｌ１　〜Ｌ３　　送電線
【図１】
2004040870.tif 000003
【図２】
2004040870.tif 000004
【図３】
2004040870.tif 000005
【図４】
2004040870.tif 000006